(57)【特許請求の範囲】
【請求項１】
画像が記録された記録材料を処理槽内の処理剤によって処理すると共に、前記処理槽内の処理剤に補充するための補充剤が封入されたカートリッジが着脱自在とされた写真処理装置であって、
装填されたカートリッジに第１の所定情報が記録されているか否かを判断する判断手段と、
前記判断手段によって前記カートリッジに前記第１の所定情報が記録されていないと判断された場合に、前記第１の所定情報が記録されたカートリッジが装填されたときよりも前記記録材料に対する処理の速度を低下させる第１の制御、及び、前記第１の所定情報が記録されたカートリッジが装填されたときよりも前記処理層内への補充量を増大させる第２の制御の少なくとも一方を行う制御手段と、
を備えたことを特徴とする写真処理装置。
【請求項２】
前記第１の所定情報は、前記カートリッジに付加された記録素子に記録されており、
前記判断手段は、装填されたカートリッジに付加された前記記録素子に記録されている情報を読み出し可能な読出手段を備え、前記装填されたカートリッジに付加された前記記録素子に記録されている情報を前記読出手段によって読み出させ、前記読出手段による読出結果に基づいて前記第１の所定情報が記録されているか否かを判断することを特徴とする請求項１記載の写真処理装置。
【請求項３】
前記カートリッジに付加された記録素子には、前記カートリッジの製造時、又は前記カートリッジへの補充剤の封入時、又は前記カートリッジの出荷時に、前記カートリッジに封入された補充剤の保存期間を識別可能な第２の所定情報が記録されており、
前記制御手段は、前記装填されたカートリッジに付加された前記記録素子から前記読出手段によって読み出された前記第２の所定情報に基づいて識別した前記補充剤の保存期間に応じて、前記処理層内への補充量及び処理槽内の処理剤の温度の少なくとも一方を変更することを特徴とする請求項２記載の写真処理装置。
【請求項４】
前記カートリッジに付加された前記記録素子は情報を書込可能とされ、
装填されているカートリッジに付加された前記記録素子に第３の所定情報を書き込む書込手段を更に備え、
前記判断手段は、前記装填されたカートリッジに付加された前記記録素子に前記第３の所定情報が記録されているか否かも判断し、
前記制御手段は、前記判断手段によって前記カートリッジの前記記録素子に前記第３の所定情報が記録されていると判断された場合にも、前記第１の制御及び前記第２の制御の少なくとも一方を行うことを特徴とする請求項２記載の写真処理装置。
【請求項５】
請求項１乃至請求項４の何れか１項記載の写真処理装置に装填可能で、前記処理槽内の処理剤へ補充するための補充剤が封入され、前記第１の所定情報が予め記録されたカートリッジ。
【発明の詳細な説明】
【技術分野】
【０００１】
本発明は写真処理装置及びカートリッジに係り、特に、画像が記録された記録材料を処理槽内の処理剤によって処理すると共に、処理槽内へ補充するための補充剤が封入されたカートリッジが着脱自在とされた写真処理装置、及び該写真処理装置に装填可能なカートリッジに関する。
【背景技術】
【０００２】
従来より、カメラによって被写体が潜像として記録された写真フィルムや、写真フィルムに記録されている画像が潜像として露光記録された印画紙等の写真感光材料を、発色現像剤、漂白定着剤、水洗水等の各処理液に順次浸漬した後に乾燥させることで、記録された潜像を画像として可視化させる写真処理装置が知られている。この種の写真処理装置において、各処理槽へ補充するための各補充剤は、補充作業の簡素化や補充剤の誤投入防止のためにカートリッジに封入された状態で供給され、このカートリッジを写真処理装置に装填することで、カートリッジ内の補充液が自動的に調液されて各処理槽へ自動的に補充される形態が主流となりつつある。
【０００３】
一方、写真処理装置及び写真処理装置で用いられる処理剤に対しては、迅速かつ低補充量の処理条件で十分な写真処理性能が得られるように改良及び開発が行われており、写真処理装置の新機種が開発される毎に、処理の迅速化及び低補充量化を実現する専用処理剤が新たに開発され、この専用処理剤に対応する専用補充剤がカートリッジに封入された状態で供給されるので、市場には、互いに種類の異なる補充剤が封入された複数種のカートリッジが出回っている。このため、写真処理装置へのカートリッジの誤装填等のトラブルが発生する可能性があり、特に専用補充剤のカートリッジが装填されることを前提に設計された写真処理装置に、それ以外の補充剤が封入されたカートリッジが装填された場合には、写真感光材料に可視化される画像の黄色濃度が著しく低下したり、脱銀不良が生ずる等の写真処理性能の著しい低下が生ずる。
【０００４】
上記に関連して特許文献１には、補充液カートリッジに付加したＲＦＩＤタグに補充液の残量を登録しておき、補充液カートリッジが写真処理装置に装填された状態で補充液カートリッジ内の補充液の残量が変化する毎に残量登録値を更新すると共に、写真処理装置に新たな補充液カートリッジが装填されると、ＲＦＩＤタグに登録された残量と実際の残量の偏差が所定値以内か否かを判定することで、装填された補充液カートリッジが不適切なカートリッジか否かを判断する技術が開示されている。
【０００５】
また特許文献２には、印画紙容器及び補充液容器に取付けた各々のＩＣメモリユニットにバージョン情報を書き込んでおき、写真処理装置は、装着部に設けられた情報読取機でバージョン情報を読み取り、読み取ったバージョン情報の組合わせが処理条件処方と適合しているか否か判定し、適合している場合は搬送速度及び処理温度を最適条件に制御し、不適合の場合は警報を発する技術が開示されている。
【０００６】
また特許文献３には、補充容器に装着したＩＣタグに容器ＩＤ情報を書き込んでおき、写真処理装置は、補充容器のＩＣタグから読み取った容器ＩＤ情報に基づいて、当該補充容器が、補充液追加タイミングが到来している補充タンクに適合していると判断した場合に、補充容器から補充タンクへの補充液追加充填を可能とする技術が開示されている。
【０００７】
上記のように、正規のカートリッジにＩＣタグ等を付加すると共に、このＩＣタグ等に所定の情報を記録しておき、写真処理装置に装填されたカートリッジに付加されているＩＣタグ等から所定の情報を読み出して、装填されたカートリッジが適正なカートリッジか否かを判断したり、写真感光材料に対する処理条件を制御する技術は既に技術は提案されている。
【特許文献１】特開２００４−２２６７９０号公報
【特許文献２】特開２００４−９３６９２号公報
【特許文献３】特開２００５−１０１９６号公報
【発明の開示】
【発明が解決しようとする課題】
【０００８】
しかしながら、上述した特許文献１〜３の何れに記載の技術も、写真処理装置に装填されたカートリッジにＩＣタグ等が付加されていなかったり、カートリッジに付加されたＩＣタグ等に所定の情報が記録されていなかった場合にはエラーとなり、装填されたカートリッジ内の補充液は処理槽内への補充に使用されない。このため、ＩＣタグ等が付加されていない旧タイプのカートリッジや、異なるメーカによって製造されたカートリッジを使用できないという問題がある。但し、写真処理装置に装填されたカートリッジが正規品であるか否かに拘らず、カートリッジ内の補充液を処理槽内への補充に無制限に用いてしまうと、前述のように写真処理性能の著しい低下が生ずる可能性が高いので望ましくない。
【０００９】
本発明は上記事実を考慮して成されたもので、正規品でないカートリッジも使用可能で、正規品でないカートリッジが使用された場合に写真処理性能の著しい低下が生ずることも回避できる写真処理装置及びカートリッジを得ることが目的である。
【課題を解決するための手段】
【００１０】
前述のように、写真処理装置や処理剤（及び補充剤）は迅速かつ低補充量の処理条件で十分な写真処理性能が得られるように改良及び開発が行われており、写真処理装置における処理速度や処理槽への補充量は、設計時に想定した正規の補充剤が封入されたカートリッジが写真処理装置に装填されることを前提にして設定されている。本願発明者は上記事実に基づき、正規の補充剤とそれ以外の補充剤との性能の差異は、主に迅速処理や低補充量の処理条件で顕著となることに着目し、写真処理装置に装填されたカートリッジが正規品でない場合（正規の補充剤以外の補充剤が封入されたカートリッジが装填された場合）にも、通常の処理条件よりも処理速度を低下させたり、処理槽への補充量を増大させれば、写真処理性能を或る程度のレベルに維持できることに想到して本発明を成すに至った。
【００１１】
上記に基づき請求項１記載の発明に係る写真処理装置は、画像が記録された記録材料を処理槽内の処理剤によって処理すると共に、前記処理槽内の処理剤に補充するための補充剤が封入されたカートリッジが着脱自在とされた写真処理装置であって、装填されたカートリッジに第１の所定情報が記録されているか否かを判断する判断手段と、前記判断手段によって前記カートリッジに前記第１の所定情報が記録されていないと判断された場合に、前記第１の所定情報が記録されたカートリッジが装填されたときよりも前記記録材料に対する処理の速度を低下させる第１の制御、及び、前記第１の所定情報が記録されたカートリッジが装填されたときよりも前記処理層内への補充量を増大させる第２の制御の少なくとも一方を行う制御手段と、を備えたことを特徴としている。
【００１２】
請求項１記載の発明に係る写真処理装置は、画像が記録された記録材料を処理槽内の処理剤によって処理すると共に、処理槽内の処理剤に補充するための補充剤が封入されたカートリッジが着脱自在とされている。ここで、請求項１記載の発明では、装填されたカートリッジに第１の所定情報が記録されているか否かが判断手段によって判断され、制御手段は、判断手段によって前記カートリッジに第１の所定情報が記録されていないと判断された場合に、第１の所定情報が記録されたカートリッジが装填されたときよりも記録材料に対する処理の速度を低下させる第１の制御、及び、第１の所定情報が記録されたカートリッジが装填されたときよりも処理層内への補充量を増大させる第２の制御の少なくとも一方を行う。
【００１３】
これにより、本発明に係る写真処理装置の正規の補充液が封入されたカートリッジ（正規品のカートリッジ）に第１の所定情報を記録しておくことで、この正規品のカートリッジが装填された場合は通常の処理速度、処理槽内への通常の補充量で写真処理装置が稼働することになるので、写真処理装置の本来の写真処理性能が発揮される。なお、第１の所定情報としては、例えばカートリッジの製造メーカ及びカートリッジに封入された補充剤の種類を表す情報を用いることができるが、他の任意の情報（例えばカートリッジの製造メーカが補充剤の品質を保証することを表す情報等）を適用可能である。
【００１４】
また、請求項１記載の発明では、第１の所定情報が記録されていないカートリッジ（正規品でないカートリッジ）が装填された場合には、第１の所定情報が記録されたカートリッジが装填されたときよりも記録材料に対する処理の速度を低下させる第１の制御、及び、第１の所定情報が記録されたカートリッジが装填されたときよりも処理層内への補充量を増大させる第２の制御の少なくとも一方が行われるので、本発明に係る写真処理装置に正規品でないカートリッジを装填して使用することが可能になると共に、第１の制御及び第２の制御の少なくとも一方が行われることで写真処理性能は若干低下する（処理速度の低下及び処理槽内への補充量の増大の少なくとも一方が生ずる）ものの、画像の画質の著しい低下等の写真処理性能の著しい低下が生ずることも回避することができる。
【００１５】
なお、請求項１記載の発明において、第１の所定情報はバーコード等の形態でカートリッジに記録しておくことも可能であり、この場合、判断手段はカートリッジに記録されたバーコードをバーコードリーダによって読み取り、バーコードの読み取り結果に基づいて第１の所定情報が記録されているか否かを判断するように構成することができるが、一般にバーコードは偽造（模倣）が容易であり、正規品でないものの第１の所定情報を表すバーコードが記録されたカートリッジが装填された場合、当該カートリッジが正規品でないことを識別できず、制御手段によって第１の制御及び第２の制御が行われないことで、画像の画質の著しい低下等の写真処理性能の著しい低下が生ずる恐れがある。また、バーコードは後述のように情報を追加記録することが困難という欠点もある。
【００１６】
これを考慮すると、請求項１記載の発明において、例えば請求項２に記載したように、第１の所定情報はカートリッジに付加された記録素子に記録されており、判断手段は、装填されたカートリッジに付加された記録素子に記録されている情報を読み出し可能な読出手段を備え、装填されたカートリッジに付加された記録素子に記録されている情報を読出手段によって読み出させ、読出手段による読出結果に基づいて第１の所定情報が記録されているか否かを判断するように構成することが好ましい。上記の記録素子としては、少なくとも無線による情報の読み出しが可能なＲＦＩＤ（Radio Frequency IDentification）タグが好適であり、この場合、読出手段はＩＣタグヘッドで構成することができる。上記のようにカートリッジに付加された記録素子に第１の所定情報を記録しておくことで、第１の所定情報をバーコード等の形態でカートリッジに記録しておく態様と比較して偽造（模倣）の困難性が増大し、写真処理性能の著しい低下が生ずる確率を大幅に低減することができる。
【００１７】
また、補充剤は製造されてからの経過期間（保存期間）の長さに応じて性能が徐々が変化することを考慮すると、請求項２記載の発明において、例えば請求項３に記載したように、カートリッジに付加された記録素子には、カートリッジの製造時、又はカートリッジへの補充剤の封入時、又はカートリッジの出荷時に、カートリッジに封入された補充剤の保存期間を識別可能な第２の所定情報が記録されており、制御手段は、前記装填されたカートリッジに付加された記録素子から読出手段によって読み出された第２の所定情報に基づいて識別した補充剤の保存期間に応じて、処理層内への補充量及び処理槽内の処理剤の温度の少なくとも一方を変更するように構成することが好ましい。これにより、装填されたカートリッジに封入されている補充剤の保存期間の長短によって写真処理性能がばらつくことを防止することができる。
【００１８】
なお、請求項３記載の発明において、第２の所定情報としては、例えば補充剤の製造時期又は保存期限を表す情報を適用することができる。第２の所定情報として補充剤の製造時期を表す情報を用いた場合には、当該製造時期からの経過期間を計算することで補充剤の保存期間を識別することができ、第２の所定情報として補充剤の保存期限を表す情報を用いた場合には、当該保存期限迄の期間を計算し、補充剤の製造から保存期限までの期間から前記計算した期間を減算することで補充剤の保存期間を識別することができる。
【００１９】
また、請求項２記載の発明のように、カートリッジに付加した記録素子に第１の所定情報を記録したとしても、写真処理装置に一旦装填されて封入されている正規の補充剤が処理槽への補充に用いられた正規品のカートリッジが、写真処理装置から取り外され非正規の補充剤が補給された後に写真処理装置に再度装填された場合には、当該カートリッジに封入されている補充剤が非正規の補充剤であることを識別できず、制御手段によって第１の制御及び第２の制御が行われないことで、画像の画質の著しい低下等の写真処理性能の著しい低下が生ずる恐れがある。
【００２０】
これを考慮すると、請求項２記載の発明において、例えば請求項４に記載したように、カートリッジに付加された記録素子は情報を書込可能とされ、装填されているカートリッジに付加された記録素子に第３の所定情報を書き込む書込手段を更に備え、判断手段は、装填されたカートリッジに付加された記録素子に第３の所定情報が記録されているか否かも判断し、制御手段は、判断手段によってカートリッジの記録素子に第３の所定情報が記録されていると判断された場合にも、第１の制御及び第２の制御の少なくとも一方を行うように構成することが好ましい。これにより、写真処理装置に一旦装填されて封入されている正規の補充剤が処理槽への補充に用いられた正規品のカートリッジが、写真処理装置から取り外され非正規の補充剤が補給された後に写真処理装置に再度装填された場合にも、これを検知することができ、制御手段によって第１の制御及び第２の制御の少なくとも一方が行われることで、画像の画質の著しい低下等の写真処理性能の著しい低下が生ずることを防止することができる。
【００２１】
請求項５記載の発明に係るカートリッジは、請求項１乃至請求項４の何れか１項記載の写真処理装置に装填可能で、処理槽内の処理剤へ補充するための正規の補充剤が封入され、第１の所定情報が予め記録されている。
【００２２】
請求項５記載の発明に係るカートリッジには第１の所定情報が記録されているので、このカートリッジが請求項１乃至請求項４の何れか１項記載の写真処理装置に装填された場合には、通常の処理速度、処理槽内への通常の補充量で写真処理装置が稼働することになり、写真処理装置の本来の写真処理性能が発揮される。また、請求項１乃至請求項４の何れか１項記載の写真処理装置に、第１の所定情報が記録されていない別のカートリッジが装填された場合に、第１の制御及び第２の制御の少なくとも一方が行われることで、画像の画質の著しい低下等の写真処理性能の著しい低下が生ずることも回避することができる。
【発明の効果】
【００２３】
以上説明したように本発明は、装填されたカートリッジに第１の所定情報が記録されているか否かを判断し、第１の所定情報が記録されていない場合に、第１の所定情報が記録されたカートリッジが装填されたときよりも記録材料に対する処理の速度を低下させる第１の制御、及び、第１の所定情報が記録されたカートリッジが装填されたときよりも処理層内への補充量を増大させる第２の制御の少なくとも一方を行うようにしたので、正規品でないカートリッジも使用可能で、正規品でないカートリッジが使用された場合に写真処理性能の著しい低下が生ずることも回避できる、という優れた効果を有する。
【発明を実施するための最良の形態】
【００２４】
以下、図面を参照して本発明の実施形態の一例を詳細に説明する。
【００２５】
〔第１実施形態〕
図１には本実施形態に係る写真処理装置１０が示されている。写真処理装置１０は印画紙に画像を露光記録し、該印画紙に現像等の処理を施して写真プリントを作成する装置であり、長尺状の印画紙１２が巻芯にロール状に巻回されて成る印画紙ロール１４を収納したマガジン１６が装填可能とされている。写真処理装置１０には露光部１８が設けられており、露光部１８は、マガジン１６内に収納されている印画紙ロール１４から長尺状の印画紙１２を引き出し、印画紙１２に記録すべき画像に応じて変調したレーザビームを、印画紙ロール１４から引き出した印画紙１２上で走査露光させることで、印画紙１２に画像を露光記録する。なお、写真処理装置１０は本発明に係る写真処理装置に対応している。
【００２６】
写真処理装置１０は写真処理装置１０の各部の動作を制御する本体制御部２０を備え、この本体制御部２０には、キャリアによって搬送される写真フィルム等の原稿に記録されている画像を読み取り、読取結果を画像データとして出力するスキャナ／キャリア２２が接続可能とされている。本体制御部２０にスキャナ／キャリア２２が接続されている場合、露光部１８におけるレーザビームの変調に用いる画像データは、本体制御部２０を介してスキャナ／キャリア２２から供給される。なお、変調に用いる画像データは、デジタルスチルカメラ（ＤＳＣ）によって被写体が撮影されることで得られる画像データであってもよい。
【００２７】
また、写真処理装置１０にはプロセッサ部２４が設けられている。プロセッサ部２４には、発色現像液が貯留された発色現像槽２６、漂白定着液が貯留された漂白定着槽２８、水洗水が貯留された第１水洗槽３０、第２水洗槽３２、第３水洗槽３４及び第４水洗槽３６が水平方向に沿って順に設けられている。発色現像槽２６及び漂白定着槽２８には、搬送モータ３７（図５参照）の駆動力が伝達されて回転駆動されることで、印画紙１２を処理液中に浸漬した状態で搬送する搬送ローラ３８が設けられており、印画紙１２は、発色現像液中を搬送された後、同じく搬送モータ３７の駆動力で回転駆動される搬送ローラ４０によって発色現像槽２６から漂白定着槽２８へ送られ、漂白定着槽２８内の漂白定着液中を搬送される。
【００２８】
また、図２に示すように、水洗槽３０，３２，３４，３６の各槽間の隔壁には、印画紙１２を通過させるスリットが形成されている。スリットの近傍には、弾性体から成る一対のブレード４２が当接するように設けられており、印画紙１２は一対のブレード４２の間を通過可能とされている。水洗槽３０，３２，３４，３６には、搬送モータ３７の駆動力が伝達されて回転駆動されることで印画紙１２を水平方向に搬送する搬送ローラ４４が設けられており、印画紙１２は、一対のブレード４２の間を通過することで、水洗水中を搬送されたまま第１水洗槽３０から第４水洗槽３６へと搬送される。
【００２９】
図１に示すように、第４水洗槽３６の下流側には乾燥部４６が設けられており、第４水洗槽３６での水洗処理が完了した印画紙１２は第４水洗槽３６から乾燥部４６へ送られ、図示しないファン及びヒータによって生成された熱風が供給されて表面が乾燥される。また、乾燥部４６の下流側にはカッタ／ソータ４８が配置されており、乾燥部４６で表面が乾燥された印画紙１２は、カッタ／ソータ４８によって画像齣単位で切断された後に、個々の注文毎に仕分けされる。なお、図５に示すように、搬送モータ３７は本体制御部２０に接続されており、搬送モータ３７の駆動のオンオフ及び駆動軸の回転速度（写真処理装置１０の機体内を搬送される印画紙１２の搬送速度は搬送モータ３７の駆動軸の回転速度に応じて変化する）は本体制御部２０によって制御される。
【００３０】
次に、プロセッサ部２４の各処理槽への補充液の補充について説明する。プロセッサ部２４には、発色現像補充液が貯留された現像補充槽５０、漂白定着補充液が貯留された漂白定着補充槽５２、水が貯留された水槽５４が各々設けられている。なお、漂白定着補充液は２種類の補充液から成り、漂白定着補充槽５２は２種類の漂白定着補充液に対応して２槽設けられている。
【００３１】
発色現像補充液及び漂白定着補充液は、図３に示す補充液カートリッジ５６に封入された状態で供給される。補充液カートリッジ５６は全体として略直方体状で、天地方向に沿った中間部に幅方向一端から他端に亘って凹部５６Ａが形成された形状とされている。補充液カートリッジ５６の内部は、図３に破線で示すように３つの液室に区画されており、発色現像補充液及び漂白定着補充液（２液）は各々異なる液室に封入されている。なお、補充液カートリッジ５６は請求項５に記載のカートリッジに対応している。
【００３２】
プロセッサ部２４には補充液カートリッジ５６を装填するためのカートリッジ装填部５８が設けられている。カートリッジ装填部５８は、写真処理装置１０の機体側面の扉（図示省略）を開放することで露出され、補充液カートリッジ５６を装填可能な状態となる。なお、この扉には、補充液カートリッジ５６の交換時以外の期間に扉が開放されることを阻止するためのインターロック機構（図示省略）が設けられている。
【００３３】
図示は省略するが、補充液カートリッジ５６は、各液室に対応して補充液排出口が底部に各々設けられており、各補充液排出口はキャップによって閉止されている。補充液カートリッジ５６は、底部が下方を向いた状態でカートリッジ装填部５８に装填される。図４に示すように、カートリッジ装填部５８は、装填された補充液カートリッジ５６を支持するためのカートリッジ受け５８Ａと、補充液カートリッジ５６から排出された補充液を対応する補充槽へ案内するための液受け部５８Ｂを含んで構成されている。
【００３４】
カートリッジ受け５８Ａには、補充液カートリッジ５６の凹部５６Ａに対応する凸部５９が形成されている。この凸部５９は補充液カートリッジ５６が装填された状態で補充液カートリッジ５６の凹部５６Ａと嵌り合うことで、補充液カートリッジ５６を一定の位置に位置決めする。また、カートリッジ受け５８Ａは図示しない昇降駆動部により昇降移動される。
【００３５】
また、液受け部５８Ｂには補充液カートリッジ５６の補充液排出口を閉止しているキャップを開栓するための開栓ノズル６０が立設されており、装填された補充液カートリッジ５６をカートリッジ受け５８Ａが支持している状態でカートリッジ受け５８Ａが下限位置まで下降移動されると、カートリッジ受け５８Ａに支持されている補充液カートリッジ５６の各補充液排出口のキャップが開栓ノズル６０によって開栓され、このキャップの開栓に伴って各液室内の補充液が補充液排出口を介して排出され、排出された補充液が液受け部５８Ｂを介して対応する補充槽に案内・供給されるようになっている。
【００３６】
現像補充槽５０内の発色現像補充液はポンプ６２によって発色現像槽２６へ補充され、漂白定着補充槽５２内の漂白定着液はポンプ６４によって漂白定着槽２８へ補充され、水槽５４内の水は、ポンプ６６によって発色現像槽２６、漂白定着槽２８及び第４水洗槽３６へと補充される。なお、ポンプ６６から発色現像槽２６、漂白定着槽２８及び第４水洗槽３６へ至る配管の途中には、各々電磁弁６８が設けられている。図５に示すように、ポンプ６２，６４，６６及び電磁弁６８は本体制御部２０に各々接続されており（図５ではポンプ６２，６４，６６及び電磁弁６８に符号「６９」を付し「ポンプ／電磁弁」と表記して示している）、ポンプ６２，６４，６６及び電磁弁６８のオンオフ（各補充槽から各処理槽への各補充液の補充）は本体制御部２０によって制御される。
【００３７】
また本実施形態において、水洗槽への水の補充は最下流の第４水洗槽３６に対して行われるが、第４水洗槽３６に水洗水が補充されると、補充された水洗水は順次上流側の水洗槽へオーバーフローし、最終的には第１水洗槽３０から排液タンク（図示せず）へと排出される。従って、第１〜第４水洗槽は、水洗槽が下流側になるに従って水洗水の清浄度が高い、所謂カスケード状態とされる。また、第４水洗槽３６には液濃度検出センサ７０が設けられている。液濃度検出センサ７０は互いに離間して配置された一対の電極を備え、該一対の電極を処理液（水洗水）に浸漬して使用するものであり、水洗水の液成分濃度（例えば漂白定着液に含まれる鉄成分の濃度）に応じて出力電圧が変化する。
【００３８】
ところで、図３に示すように、本実施形態に係る補充液カートリッジ５６に形成された凹部５６は、凹部５６の側面が補充液カートリッジ５６の底面（上面）及び側面に対して傾斜されることで断面が略山型とされており、この凹部５６の側面にはＲＦＩＤタグ７２が貼付されている。図５に示すように、本実施形態に係るＲＦＩＤタグ７２はアンテナ７４と一体化されており、電源回路７６、ＲＦ回路７８、変換回路８０、ＣＰＵ８２及びメモリ８４を含んで構成されている。電源回路７６はアンテナ７４と共に共振回路を構成しており、アンテナ７４により特定周波数の電波が受信されると相互誘導作用によって図示しないコンデンサに電力を蓄積し、蓄積した電力を整流してＣＰＵ８２や他の回路に供給するように構成されている。ＣＰＵ８２はＲＦＩＤタグ７２の各部の動作を制御する。
【００３９】
またＲＦ回路７８は、アンテナ７４により電波が受信された場合には、アンテナ７４から出力される信号を増幅して変換回路８０へ出力し、変換回路８０から信号が入力された場合には、該信号を増幅してアンテナ７４へ供給する。変換回路８０は、ＲＦ回路７８から入力された信号を復調し、復調によって得られたデジタルデータをＣＰＵ８２へ出力すると共に、ＣＰＵ８２から入力されたデジタルデータで搬送波信号を変調し、変調後の信号をＲＦ回路７８へ出力する。また、メモリ８４としては、情報の読み取り及び書き込みが可能な不揮発性のメモリ（例えばフラッシュメモリ等）を用いることができる。なお、上述したＲＦＩＤタグ７２は請求項２〜請求項４に記載の記録素子に対応している。
【００４０】
一方、カートリッジ装填部５８には、補充液カートリッジ５６が装填された状態でＲＦＩＤタグ７２と対向する位置（すなわちカートリッジ受け５８Ａの凸部５９の側面）に、ＲＦＩＤタグ７２と無線通信を行う機能を備えたＩＣタグヘッド８６が設置されている（図３及び図４も参照）。ＩＣタグヘッド８６は、アンテナ８８、ＲＦ回路９０及び変換回路９２を備えており、ＩＣタグ制御部９４に接続されている。
【００４１】
なお、カートリッジ装填部５８に装填された補充液カートリッジ５６は、凹部５６Ａが凸部５９と嵌り合うことで略一定の位置に位置決めされるので、上記のようにＲＦＩＤタグ７２が補充液カートリッジ５６の凹部５６の側面に貼付され、ＩＣタグヘッド８６をカートリッジ受け５８Ａの凸部５９の側面に設置されていることで、カートリッジ装填部５８に補充液カートリッジ５６が装填された状態で、ＲＦＩＤタグ７２とＩＣタグヘッド８６の間隔も非常に小さくかつ一定の状態となり、ＲＦＩＤタグ７２とＩＣタグヘッド８６の間の通信の確実性が向上する。
【００４２】
なお、本実施形態では、ＲＦＩＤタグ７２とＩＣタグヘッド８６との間の無線通信が、比較的通信可能距離の短い通信方式（例えば電磁結合方式等）で行われることを考慮して、カートリッジ装填部５８に補充液カートリッジ５６が装填された状態でのＲＦＩＤタグ７２とＩＣタグヘッド８６との距離を非常に小さくしているが、ＲＦＩＤタグ７２とＩＣタグヘッド８６との間の無線通信として、通信可能距離がより長い通信方式（例えばマイクロ波方式や光方式等）を採用すれば、ＲＦＩＤタグ７２とＩＣタグヘッド８６との距離を離間させることも可能である。
【００４３】
ＲＦ回路９０は、アンテナ８８により電波が受信された場合には、アンテナ８８から出力される信号を増幅して変換回路９２へ出力し、変換回路９２から信号が入力された場合には、該信号を増幅してアンテナ８８へ供給する。また変換回路９２は、ＲＦ回路９０から入力された信号を復調し、復調によって得られたデジタルデータをＩＣタグ制御部９４へ出力すると共に、ＩＣタグ制御部９４から入力されたデジタルデータで搬送波信号を変調し、変調後の信号をＲＦ回路９０へ出力する。ＩＣタグ制御部９４は本体制御部２０に接続されている。
【００４４】
次に本第１実施形態の作用として、まず補充液カートリッジ５６の製造・供給について説明する。補充液カートリッジ５６を製造する製造工場では、補充液カートリッジ５６の空のボトルの３つの液室に発色現像補充液、漂白定着補充液（２液）を各々封入し、補充液を封入した補充液カートリッジ５６のボトルにＲＦＩＤタグ７２を付加する。また、製造工場の補充液カートリッジ５６の製造ラインには、ＩＣタグヘッド８６を含んで構成され無線通信によりＲＦＩＤタグ７２に情報を書き込み可能な書込装置が設置されており、該書込装置により、補充液カートリッジ５６の種類を識別するための種類情報や補充液の製造年月日、前記封入した補充液の有効年月日（保存期限）等の情報が、補充液カートリッジ５６に付加したＲＦＩＤタグ７２に書き込まれる。なお、ＲＦＩＤタグ７２への情報の書き込みを行った後に、書き込みを行ったＲＦＩＤタグ７２を補充液カートリッジ５６に貼付するようにしてもよい。
【００４５】
上記の種類情報は本発明に係る第１の所定情報に対応しており、具体的には、例えば補充液カートリッジ５６の製造メーカ及び補充液カートリッジに封入された補充剤の種類を表す情報を用いることができるが、補充液カートリッジ５６に封入されている補充液が正規の補充液であることを表す情報であればよく、例えばカートリッジの製造メーカが補充剤の品質を保証することを表す情報等、他の任意の情報を適用することも可能である。また、補充液の有効年月日を表す情報は請求項３に記載の第２の所定情報に対応している。
【００４６】
ＲＦＩＤタグ７２を貼付すると共にＲＦＩＤタグ７２への情報の書き込みを行った補充液カートリッジ５６は、出荷される迄の間製造工場内に保管される。そして、写真処理装置１０を所持している顧客からの注文等に応じて製造工場から補充液カートリッジ５６が出荷される。出荷された補充液カートリッジ５６は、写真処理装置１０を所持している顧客へ納品され、写真処理装置１０への装填が必要となる迄顧客によって保管される。
【００４７】
顧客が所持している写真処理装置１０が、補充槽への補充液の補充が必要な状態になると、顧客は、保管していた新しい補充液カートリッジ５６を取り出すと共に、補充液カートリッジ５６の交換を行うことを写真処理装置１０に通知することで、機体側面の扉のロックを解除させて機体側面の扉を開放し、カートリッジ装填部５８に装填されていた空の補充液カートリッジを取り外し、新しい補充液カートリッジ５６をカートリッジ装填部５８に装填して扉を閉止する作業を行う。
【００４８】
上記の作業が行われると、本体制御部２０ではカートリッジ装填時処理が行われる。以下、このカートリッジ装填時処理について、図６のフローチャートを参照して説明する。
【００４９】
ステップ１５０では、補充液カートリッジ５６に対応して設けられたＩＣタグヘッド８６のアンテナ８８から所定の電波（ＲＦＩＤタグ７２に対しメモリ８４に書き込まれている情報の送信を要求する所定の情報に基づいて変調した電波）を発信させることで、カートリッジ装填部５８に装填された補充液カートリッジ５６に付加されているＲＦＩＤタグ７２のメモリ８４に書き込まれている情報の読み出しを試行する。
【００５０】
ステップ１５２では、ＩＣタグヘッド８６が何らかの情報を受信したか否かに基づいて、ＲＦＩＤタグ７２のメモリ８４に書き込まれている情報の読み出しに成功したか否か判定する。判定が否定された場合にはステップ１５４へ移行し、カートリッジ装填時処理を開始してからの情報の読み出しの試行回数が、予め定められた上限値を越えたか否か判定する。この判定も否定された場合にはステップ１５０へ戻り、ステップ１５２又はステップ１５４の判定が肯定される迄、ステップ１５０〜１５４を繰り返す。
【００５１】
カートリッジ装填部５８に装填された補充液カートリッジ５６に正規のＲＦＩＤタグ７２が付加されている場合、ＩＣタグヘッド８６のアンテナ８８から発信された所定の電波がＲＦＩＤタグ７２のアンテナ７４で受信されることで、まず電源回路７６の図示しないコンデンサに電力が蓄積され、蓄積された電力が整流されてＲＦＩＤタグ７２の各回路に供給されることで、ＲＦＩＤタグ７２の各回路の作動が開始される。
【００５２】
次に、アンテナ７４で所定の電波が受信されることでアンテナ７４から出力された信号がＲＦ回路７８で増幅され、変換回路８０によって復調されることで、ＣＰＵ８２へ所定の情報が入力される。ＣＰＵ８２は入力された情報を解析し、メモリ８４に書き込まれている情報の送信を要求している所定の情報であることを認識すると、メモリ８４に書き込まれている各種情報をメモリ８４から読み出し、変換回路８０へ出力する。ＣＰＵ８２から情報が入力されると、変換回路８０は入力された情報で搬送波信号を変調してＲＦ回路７８へ出力し、ＲＦ回路７８は変換回路８０から入力された信号を増幅してアンテナ７４へ供給する。
【００５３】
これにより、メモリ８４から読み出された情報に基づいて変調された電波がアンテナ７４から発信され、この電波がＩＣタグヘッド８６のアンテナ８８で受信され、ＲＦ回路９０で増幅され、変換回路９２で復調されてＩＣタグ制御部９４に情報として入力される。そして、ＲＦＩＤタグ７２から読み出された情報がＩＣタグ制御部９４から本体制御部２０へ転送されることで、前述のステップ１５２の判定が肯定されてステップ１５６へ移行する。
【００５４】
本体制御部２０が内蔵している図示しない不揮発性メモリには、写真処理装置１０に装填すべき正規品の補充液カートリッジ５６（正規の補充液が封入された補充液カートリッジ５６）に対応する正規の種類情報が予め記憶されており、ステップ１５６では、ＲＦＩＤタグ７２から読み出された情報の中から種類情報を抽出し、抽出した種類情報を予め不揮発性メモリに記憶されている正規の種類情報と比較し、両者が一致しているか否かを判断することで、カートリッジ装填部５８に今回装填された補充液カートリッジ５６が写真処理装置１０に装填すべき正規品か否かを判定する。なお、ステップ１５６はステップ１５０と共に本発明に係る判断手段（詳しくは請求項２に記載の判断手段）に対応しており、ＲＦＩＤタグ７２からの情報の読み出しを行うＩＣタグヘッド８６は請求項２に記載の読出手段に対応している。
【００５５】
ステップ１５６の判定が肯定された場合はステップ１５８へ移行し、ＲＦＩＤタグ７２から読み出された情報から補充液の製造年月日を表す情報を抽出し、抽出した情報が表す製造年月日からの経過期間（今回装填された補充液カートリッジ５６に封入されている補充液の保管期間）を演算する。そして、演算した保管期間を所定値と比較することで、今回装填された補充液カートリッジ５６に封入されている補充液が、製造されてから所定期間以上経過した状態か否か判定する。
【００５６】
判定が否定された場合は、カートリッジ装填部５８に今回装填された補充液カートリッジ５６は正規品であり、かつ当該補充液カートリッジ５６に封入されている補充液も保管期間の短い新鮮な状態であると判断できるので、ステップ１６２へ移行し、プロセッサ部２４における処理速度Ｖ（印画紙１２の搬送速度、各処理槽内の処理液に印画紙１２が浸漬される時間はこの処理速度Ｖに応じて変化する）として、予め設定された最大速度Ｖmaxを設定すると共に、各処理槽への各補充液の補充量Ｓ（詳しくは印画紙１２の処理面積に応じて補充量を演算する演算式において、印画紙１２の処理面積に乗ずる比例定数）として、予め設定された最小値Ｓminを設定する。なお、処理速度の最大速度Ｖmax及び補充量の最小値Ｓminは、写真処理装置１０に正規品の補充液カートリッジ５６が装填され、かつこの補充液カートリッジ５６に封入されている補充液が新鮮な状態であることを前提条件とし、この前提条件下で十分な写真処理性能が得られ、かつ処理速度がなるべく高速となり、補充量がなるべく少なくなるように設定されている。
【００５７】
また、ステップ１６０の判定が肯定された場合は、カートリッジ装填部５８に今回装填された補充液カートリッジ５６は正規品であるものの、当該補充液カートリッジ５６に封入されている補充液が若干鮮度の低下した状態であると判断できるので、処理速度を最大速度Ｖmaxに設定すると共に補充量を最小値Ｓminに設定すると、十分な写真処理性能が得られない可能性がある。このため、ステップ１６０の判定が肯定された場合はステップ１６４へ移行し、処理速度Ｖとして最大速度Ｖmaxから所定値Ｖ1を減算した値を設定すると共に、補充量Ｓとして最小値Ｓminに所定値Ｓ1を加算した値を設定する。
【００５８】
一方、前述したステップ１５０〜ステップ１５４において、情報の読み出しを上限値以上の回数だけ試行してもＲＦＩＤタグ７２から情報を読み取ることができなかった場合、或いは、ＲＦＩＤタグ７２から読み出された種類情報が正規の種類情報と一致していなかった場合には、カートリッジ装填部５８に装填された補充液カートリッジ５６は、ＲＦＩＤタグ７２に付加されていないか、又は、前記補充液カートリッジ５６には正規のＲＦＩＤタグ７２が付加されていない補充液カートリッジであるので、正規品ではないと判断できると共に、当該補充液カートリッジに封入されている補充液（正規でない補充液）を補充に用いた場合、プロセッサ部２４における処理速度や各処理槽への各補充液の補充量によっては、写真処理性能が著しく低下したり写真処理装置１０が不調になる等の不都合が生じる恐れがある。このため、ステップ１５４の判定が肯定されるか、又はステップ１５６の判定が否定された場合にはステップ１６６へ移行し、処理速度Ｖとして最大速度Ｖmaxから所定値Ｖ2（但しＶ2＞Ｖ1）を減算した値を設定すると共に、補充量Ｓとして最小値Ｓminに所定値Ｓ2（但しＳ2＞Ｓ1）を加算した値を設定する。なお、ステップ１６２，１６４，１６６は本発明に係る制御手段に対応しており、特にステップ１６４は請求項３に記載の制御手段に対応している。
【００５９】
上記のステップ１６２又はステップ１６４又はステップ１６６でプロセッサ部２４における処理速度及び各処理槽への各補充液の補充量を設定するとステップ１６８へ移行するが、カートリッジ装填部５８に新たな補充液カートリッジ５６が装填されることでカートリッジ装填時処理を再度実行する迄の間、本体制御部２０は、プロセッサ部２４における処理速度（印画紙１２の搬送速度）が設定した処理速度Ｖに一致するように搬送モータ３７の駆動軸の回転速度を制御すると共に、印画紙１２の処理面積に応じた補充量の演算に際し、印画紙１２の処理面積に乗ずる比例定数として補充量Ｓを設定した演算式を用い、各補充槽から各処理槽への各補充液の補充量が前記演算式を用いて求めた補充量に一致するようにポンプ６２，６４，６６及び電磁弁６８のオンオフを制御する。
【００６０】
これにより、カートリッジ装填部５８に今回装填された補充液カートリッジ５６が正規品であり、かつこの補充液カートリッジ５６に封入されている補充液も保管期間の短い新鮮な状態である場合には、プロセッサ部２４における処理速度が最大速度Ｖmaxとなり、各補充槽から各処理槽への各補充液の補充量が最小値Ｓminに対応する最小補充量となるので、写真処理装置１０の本来の性能が発揮される。また、カートリッジ装填部５８に今回装填された補充液カートリッジ５６が正規品であるものの、当該補充液カートリッジ５６に封入されている補充液が若干鮮度の低下した状態である場合には、プロセッサ部２４における処理速度が最大速度Ｖmaxから若干（所定値Ｖ1だけ）低下されると共に、各補充槽から各処理槽への各補充液の補充量が最小値Ｓminに対応する最小補充量から若干（所定値Ｓ1に対応する補充量だけ）増大されるので、補充液の鮮度の低下に伴う写真処理性能の低下が、印画紙１２に記録した画像の画質の低下として現れることが未然に防止される。
【００６１】
そして、カートリッジ装填部５８に今回装填された補充液カートリッジ５６が正規品でない場合（正規でない補充液が封入された補充液カートリッジ５６が装填された場合）には、写真処理装置１０の運転停止等が行われることなく、後述のように当該補充液カートリッジ５６に封入されている補充液が補充槽へ補充される一方で、プロセッサ部２４における処理速度が最大速度Ｖmaxから明確に（所定値Ｖ2だけ）低下され、各補充槽から各処理槽への各補充液の補充量が最小値Ｓminに対応する最小補充量から明確に（所定値Ｓ2に対応する補充量だけ）増大されるので、写真処理装置１０への補充液の補充に際し、正規品でない補充液カートリッジ５６（正規でない補充液が封入された補充液カートリッジ５６）を用いることが可能になると共に、印画紙１２に記録した画像の画質の顕著な低下等の写真処理性能の著しい低下が生ずることも回避される。
【００６２】
なお、上記のようにプロセッサ部２４における処理速度を最大速度Ｖmaxよりも低下させると共に、各処理槽への各補充液の補充量を最小値Ｓminに対応する最小補充量よりも増大させる場合には、処理速度を低下させると共に補充量を増大させることを、その理由（例えば「装填された補充液カートリッジが正規品でないので」等）と共に通知するメッセージを写真処理装置１０の表示部に表示させることが好ましい。
【００６３】
次のステップ１６８以降では、カートリッジ装填部５８に装填された補充液カートリッジ５６に封入されている補充液を各補充槽へ補充する。すなわち、ステップ１６８では補充液カートリッジ５６の開栓を開始するタイミングが到来したか否か判定する。判定が否定された場合には、判定が肯定される迄ステップ１６８の判定を繰り返す。ステップ１６８の判定が肯定されるとステップ１７０へ移行し、写真処理装置１０の機体側面の扉が開放されているか否か判定する。判定が肯定された場合にはステップ１７２へ移行し、開放されている扉の閉止を顧客に要請するメッセージを表示する等により前記扉の閉止を要請し、ステップ１７０に戻る。
【００６４】
扉が閉止されていると判断されると、ステップ１７０の判定が肯定されてステップ１７４へ移行し、前記扉に対応して設けられたインターロック機構を作動させることで、前記扉が不用意に開放されることを阻止する。次のステップ１７６では、図示しない昇降駆動部によってカートリッジ受け５８Ａを下降方向へ移動させる。また、ステップ１７８ではカートリッジ受け５８Ａが下限位置に到達したか否か判定する。判定が否定された場合にはステップ１７６に戻り、ステップ１７８の判定が肯定される迄ステップ１７６，１７８を繰り返す。これにより、カートリッジ受け５８Ａが下限位置に到達する迄、カートリッジ受け５８Ａの下降移動が継続されることになる。
【００６５】
図示しない下限位置検出センサによりカートリッジ受け５８Ａが下限位置に到達したことが検出されると、ステップ１７８の判定が肯定されてステップ１８０へ移行する。カートリッジ受け５８Ａの下限位置への到達に伴い、補充液カートリッジ５６の補充液排出口のキャップが開栓ノズル６０によって開栓され、このキャップの開栓に伴って各液室内の補充液が補充液排出口を介して排出され、排出された補充液が液受け部５８Ｂを介して対応する補充槽に案内・供給される。ステップ１８０では、補充液カートリッジ５６に封入されていた補充液の全量が補充液カートリッジ５６から排出されて補充槽へ供給される迄に要する所定時間（例えば数十秒程度）だけ待機する。
【００６６】
本実施形態に係る補充液カートリッジ５６は、補充液カートリッジ５６の装填（交換）の頻度を低減し、写真処理装置１０を通常に運転している状態で、補充液カートリッジ５６の装填（交換）が一週間に一度程度の頻度で済むように、濃縮された補充液が封入されており、次のステップ１８２では、補充槽に補充された補充液が所定の濃度になるように希釈する希釈処理を行う。この希釈処理によって所定の濃度とされた補充液は、写真処理装置１０における印画紙１２の処理面積等に応じて各処理槽内の処理液へ適宜補充されることになる。また、開栓ノズル６０には補充液カートリッジ５６の各液室内及びキャップを洗浄する機能が設けられており、ステップ１８４では補充液カートリッジ５６の各液室内を開栓ノズル６０によって洗浄し、次のステップ１８６では開栓ノズル６０によって開栓されたキャップを開栓ノズル６０によって洗浄する。
【００６７】
ステップ１８４，１８６の洗浄処理が完了すると、次のステップ１８８において、図示しない昇降駆動部によってカートリッジ受け５８Ａを上昇方向へ移動させる。また、ステップ１９０ではカートリッジ受け５８Ａが上限位置に到達したか否か判定する。判定が否定された場合にはステップ１８８に戻り、ステップ１９０の判定が肯定される迄ステップ１８８，１８４を繰り返す。これにより、カートリッジ受け５８Ａが上限位置に到達する迄、カートリッジ受け５８Ａの上昇移動が継続されることになる。図示しない上限位置検出センサによりカートリッジ受け５８Ａが上限位置に到達したことが検出されると、ステップ１９０の判定が肯定されてカートリッジ装填時処理を終了する。
【００６８】
なお、上述したカートリッジ装填時処理では、ステップ１７４でインターロック機構を作動させた後に、その作動を解除することなく処理を終了するので、カートリッジ装填部５８に新たな補充液カートリッジ５６が装填される迄の間は、写真処理装置１０の側部の扉が開放されて既に装填されている補充液カートリッジ５６が取り外されることが防止される。また、写真処理装置１０への新たな補充液カートリッジ５６の装填に伴って写真処理装置１０から取り外された空の補充液カートリッジ５６は、顧客によってメンテナンスセンタへ発送される。そして、メンテナンスセンタに集められた空の補充液カートリッジ５６は、資源としてリサイクルされるか、又は洗浄されて補充液カートリッジとして再使用される。
【００６９】
〔第２実施形態〕
次に本発明の第２実施形態について説明する。なお、本第２実施形態は第１実施形態と同一の構成であるので、各部分に同一の符号を付して構成の説明を省略し、以下、図７を参照し、本第２実施形態に係るカートリッジ装填時処理について、第１実施形態で説明したカートリッジ装填時処理と異なる部分についてのみ説明する。
【００７０】
本第２実施形態に係るカートリッジ装填時処理では、ステップ１６８〜ステップ１９０でカートリッジ装填部５８に装填された補充液カートリッジ５６に封入されている補充液を各補充槽へ補充した後に、ステップ１９２において、補充液カートリッジ５６が使用済みであることを表す使用済み情報をＩＣタグヘッド８６を介してＲＦＩＤタグ７２へ送信すると共に、送信した情報のメモリ８４への書き込みをＲＦＩＤタグ７２のＣＰＵ８２に指示する。これにより、ＲＦＩＤタグ７２のメモリ８４に使用済み情報が書き込まれる。なお、使用済み情報は請求項４に記載の第３の所定情報に対応しており、ステップ１９２は、実際に使用済み情報をＲＦＩＤタグ７２へ送信してメモリ８４へ書き込ませるＩＣタグヘッド８６と共に、請求項４に記載の書込手段に対応している。
【００７１】
また、本第２実施形態では、上記のように写真処理装置１０に一度装填された補充液カートリッジ５６に付加されているＲＦＩＤタグ７２のメモリ８４に使用済み情報が書き込まれるので、本第２実施形態に係るカートリッジ装填時処理では、ＲＦＩＤタグ７２から読み出した種類情報が正規の種類情報と一致していることでステップ１５６の判定が肯定された場合に、ステップ１５７において、ＲＦＩＤタグ７２から読み出した情報の中に使用済み情報が存在しているか否か判定する。なお、ステップ１５７は請求項４に記載の判断手段に対応している。この判定が否定された場合は、カートリッジ装填部５８に今回装填された補充液カートリッジ５６は過去に写真処理装置１０に装填されたことのないカートリッジであると判断できるので、ステップ１５８へ移行し、第１実施形態と同様にステップ１５８以降の処理を行う。
【００７２】
一方、ステップ１５７の判定が肯定された場合には、カートリッジ装填部５８に今回装填された補充液カートリッジ５６は、写真処理装置１０に過去に装填された正規品の補充液カートリッジ５６のボトルに補充液が再封入されるか、又は前記過去に装填された正規品の補充液カートリッジ５６から剥がし取られたＲＦＩＤタグ７２が貼付されたカートリッジであると判断できるので、この補充液カートリッジに封入されている補充液（正規でない補充液）を補充に用いた場合、プロセッサ部２４における処理速度や各処理槽への各補充液の補充量によっては、写真処理性能が著しく低下したり写真処理装置１０が不調になる等の不都合が生じる恐れがある。このため、本第２実施形態に係るカートリッジ装填時処理では、ステップ１５７の判定が肯定された場合もステップ１６６へ移行し、処理速度Ｖとして最大速度Ｖmaxから所定値Ｖ2を減算した値を設定すると共に、補充量Ｓとして最小値Ｓminに所定値Ｓ2を加算した値を設定する。なお、第２実施形態におけるステップ１６６は請求項４に記載の制御手段にも対応している。
【００７３】
これにより、カートリッジ装填部５８に今回装填された補充液カートリッジ５６が、写真処理装置１０に過去に装填された正規品の補充液カートリッジ５６のボトルに補充液が再封入されるか、又は前記過去に装填された正規品の補充液カートリッジ５６から剥がし取られたＲＦＩＤタグ７２が貼付されたカートリッジである場合にも、写真処理装置１０の運転停止等が行われることなく、当該補充液カートリッジ５６に封入されている補充液が補充槽へ補充される一方で、プロセッサ部２４における処理速度が最大速度Ｖmaxから明確に（所定値Ｖ2だけ）低下され、各補充槽から各処理槽への各補充液の補充量が最小値Ｓminに対応する最小補充量から明確に（所定値Ｓ2に対応する補充量だけ）増大されるので、写真処理装置１０への補充液の補充に際し、写真処理装置１０に過去に装填された正規品の補充液カートリッジ５６のボトルに補充液が再封入されるか、又は前記過去に装填された正規品の補充液カートリッジ５６から剥がし取られたＲＦＩＤタグ７２が貼付されたカートリッジを用いることも可能になると共に、印画紙１２に記録した画像の画質の顕著な低下等の写真処理性能の著しい低下が生ずることも回避される。
【００７４】
なお、上記ではカートリッジ装填部５８に今回装填された補充液カートリッジ５６が正規品か否かに応じて、プロセッサ部２４における処理速度及び各処理槽への各補充液の補充量を各々変化させる態様を説明したが、本発明はこれに限定されるものではなく、処理速度と補充量の何れか一方のみを変更するようにしてもよい。
【００７５】
また、上記ではカートリッジ装填部５８に今回装填された補充液カートリッジ５６が正規品であった場合に、当該補充液カートリッジ５６に封入されている補充液が製造されてから所定期間以上経過しているか否かに応じて、処理速度及び補充量を２段階に切替える態様を例に説明したが、これに限定されるものではなく、補充液製造時からの経過期間に応じて処理速度及び補充量を３段階以上の多段階に切替えるようにしてもよいし、前記経過期間の変化に応じて処理速度及び補充量を連続的に変化させるようにしてもよい。
【００７６】
また、上記ではカートリッジ装填部５８に今回装填された補充液カートリッジ５６に封入されている補充液が製造されてから所定期間以上経過した状態である場合に、プロセッサ部２４における処理速度を低下させると共に、各処理槽への各補充液の補充量を増大させる態様を説明したが、これに代えて各処理槽内の各処理液の液温を上昇させるようにしてもよいし、液温を上昇させることと各処理槽への各補充液の補充量を増大させることを組み合わせてもよい。
【００７７】
更に、上記では請求項２に記載の記録素子として、無線により情報の読み出し及び書き込みが可能なＲＦＩＤタグを適用した例を説明したが、これに限られるものではなく、例えば磁気を利用した方式等のように、公知の方式で情報の読み出し及び書き込みが可能な種々の記録素子を適用可能である。但し、情報の読み出し及び書き込みを容易に行えるようにすることを考慮すると、ＲＦＩＤタグのように非接触で情報の読み出し及び書き込みが可能な記録素子を用いることが好ましい。また、本発明はカートリッジに付加した記録素子に情報を記録することに限定されるものでもなく、本発明に係る第１の所定情報等の情報を、バーコード等の形態でカートリッジに記録するようにしてもよい。
【００７８】
また、上記ではカートリッジ装填部５８に新たな補充液カートリッジ５６が装填されると、装填された補充液カートリッジ５６に封入されている補充液の全量を補充槽へ写す補充方式を例に説明したが、本発明はこれに限定されるものではなく、補充槽を省略し、写真処理装置に装填されたカートリッジから処理槽内の処理液へ補充液を直接補充する補充方式を採用してもよい。この場合、当初封入されていた補充液の一部のみが処理槽へ補充された状態でも写真処理装置に対してカートリッジが脱着される可能性があることを考慮すると、カートリッジの記録素子への使用済み情報の書き込みは、カートリッジが空になりカートリッジ装填部５８へ再装填される可能性が無くなったときに行えばよい。
【００７９】
また、上記では本発明に係る写真処理装置として、記録すべき画像に応じて変調したレーザビームを印画紙上で走査露光させることで印画紙に画像を露光記録する露光部１８を備えた写真処理装置を例に説明したが、これに限定されるものではなく、例えば写真フィルムに光を照射し、写真フィルムを透過した光を印画紙に照射することで印画紙に画像を露光記録するタイプの露光部を備えた写真処理装置（面露光タイプのプリンタプロセッサ）に本発明を適用することも可能であることは言うまでもない。
【図面の簡単な説明】
【００８０】
【図１】本実施形態に係る写真処理装置の概略構成図である。
【図２】写真処理装置のプロセッサ部の概略構成図である。
【図３】補充液カートリッジ及び装填部を示す斜視図である。
【図４】補充液カートリッジ開栓部の構造を示す断面図である。
【図５】ＲＦＩＤタグ及びＩＣタグヘッドの概略構成を示すブロック図である。
【図６】第１実施形態に係るカートリッジ装填時処理を示すフローチャートである。
【図７】第２実施形態に係るカートリッジ装填時処理を示すフローチャートである。
【符号の説明】
【００８１】
１０  写真処理装置
１２  印画紙
２０  本体制御部
２４  プロセッサ部
２６  発色現像槽
２８  漂白定着槽
３０，３２，３４，３６  水洗槽
３７  搬送モータ
５０  現像補充槽
５２  漂白定着補充槽
５４  水槽
５６  補充液カートリッジ
５８  カートリッジ装填部
６２，６４，６６  ポンプ
６８  電磁弁
７２  ＲＦＩＤタグ
８６  ＩＣタグヘッド
【要約】
【課題】  正規品でないカートリッジも使用可能で、正規品でないカートリッジが使用された場合に写真処理性能の著しい低下が生ずることを回避する。
【解決手段】  正規の補充液が封入された正規品の補充液カートリッジには、所定の情報が予め書き込まれたＲＦＩＤタグが付加されており、写真処理装置に補充液カートリッジが装填されるとＲＦＩＤタグからの情報の読み出しを試行し(150〜154)、情報の読み出しに成功すると所定の情報が書き込まれているか否かに基づき、装填された補充液カートリッジが正規品か否か判定する(156)。情報の読み出しに失敗した場合(154が肯定）又は所定の情報が書き込まれていないことで正規品でないと判定した場合(156が否定）には、処理速度(印画紙の搬送速度)を通常時よりも低下させると共に、処理槽への補充量を通常時よりも増大させる(166)ことで、写真処理性能の著しい低下が生ずることを回避する。
【選択図】        図６
【図１】
0003681067.tif 000002
【図２】
0003681067.tif 000003
【図３】
0003681067.tif 000004
【図４】
0003681067.tif 000005
【図５】
0003681067.tif 000006
【図６】
0003681067.tif 000007
【図７】
0003681067.tif 000008